(57)【要約】      （修正有）【課題】音源を入力でき、ミキシングを行った後、演者が音声を演台から効果的に出力できる演台を提供する。【解決手段】スピーカー１１を有するフロントカバー１０の背面に上方から順にトップテーブル２０、メインテーブル３０、ボトムテーブル４０、脚部フレーム５０を配置した演台。メインテーブル３０の下方部に収納ボックス９０を付属したＰＡコントロールセクション８０（パブリックアドレス操作部）を引き出し可能に取り付ける。上方から下方に右下がりに斜めに延びる斜行サイドフレーム６０を設け、トップテーブル２０、メインテーブル３０、ボトムテーブル４０および脚部フレーム５０を接合する。【選択図】図１０
2013075131.tif 000002
【特許請求の範囲】
【請求項１】
スピーカーを有するフロントカバー、前記フロントカバーの背面に配置されたメインテーブル、および前記メインテーブルに取り付けられたＰＡコントロールセクションを備えたことを特徴とする演台。
【請求項２】
請求項１の演台において、前記ＰＡコントロールセクションを引き出し可能に設けたことを特徴とする演台。
【請求項３】
スピーカーを有するフロントカバー、前記フロントカバーの背面に配置されたメインテーブル、前記メインテーブルに取り付けられ、引き出し可能なＰＡコントロールセクション、および前記ＰＡコントロールセクションの内部に収納ボックスを設けたことを特徴とする演台。
【請求項４】
スピーカーを有するフロントカバー、前記フロントカバーの背面に配置されたメインテーブル、前記メインテーブルに取り付けられ、引き出し可能なＰＡコントロールセクション、前記ＰＡコントロールセクションの内部に設けられた収納ボックス、前記メインテーブルの下方に設けられた脚部フレーム、および前記メインテーブルと前記脚部フレームを接合するサイドフレームを備えたことを特徴とする演台。
【請求項５】
請求項４の演台において、前記サイドフレームを前記フロントカバーに対して前方上方から後方下方へ斜めに下げ延びて配置したことを特徴とする演台。
【請求項６】
請求項４の演台において、前記メインテーブルと前記脚部フレームの間にボトムテーブルを設けたことを特徴とする演台。
【請求項７】
請求項４の演台において、前記メインテーブルの上方にトップテーブルを設けたことを特徴とする演台。
【請求項８】
請求項７の演台において、前記トップテーブルは、上げポジション、水平ポジション、下げポジションの３態様を有することを特徴とする演台。
【請求項９】
スピーカーを有するフロントカバー、前記フロントカバーの背面に配置されたメインテーブル、前記メインテーブルに取り付けられ、引き出し可能なＰＡコントロールセクション、前記ＰＡコントロールセクションの内部に設けられた収納ボックス、前記メインテーブルの下方に設けられたボトムテーブル、前記ボトムテーブルの下方に設けられた脚部フレーム、および前記メインテーブル、前記ボトムテーブル、そして前記脚部フレームを接合するサイドフレームを備えたことを特徴とする演台。
【請求項１０】
請求項９の演台において、前記メインテーブルの上方にトップテーブルを設けたことを特徴とする演台。
【請求項１１】
請求項９の演台において、前記トップテーブルは、上げポジション、水平ポジション、下げポジションの３態様を有することを特徴とする演台。
【請求項１２】
スピーカーを有するフロントカバー、前記フロントカバーの背面に配置されたメインテーブル、前記メインテーブルの上方に設けられたトップテーブル、前記メインテーブルに取り付けられ、引き出し可能なＰＡコントロールセクション、前記ＰＡコントロールセクションの内部に設けられた収納ボックス、前記メインテーブルの下方に設けられたボトムテーブル、前記ボトムテーブルの下方に設けられた脚部フレーム、および前記トップテーブル、前記メインテーブル、前記ボトムテーブル、そして前記脚部フレームを接合するサイドフレームを備えたことを特徴とする演台。
【発明の詳細な説明】
【技術分野】
【０００１】  本発明は演台に関し、特にＰＡ（Ｐｕｂｌｉｃ  Ａｄｄｒｅｓｓ：パブリックアドレス）システムを備えた演台に関するものである。
【背景技術】
【０００２】  演台として、一般にマイクロフォン、スピーカー等を備えた演台が知られている。学者や司会者等の演者は、演台のマイクロフォンの音量を調節して利用している。しかしながら、演者は聴衆者に対して、講演内容または説明内容等について効果的に訴える音響装置を演台が準備、装備していないため、さまざまな情報機器を使用する現代の講演では、演台本体から音声を効果的に出力できていなかった。【０００３】  講演台として、特許文献１に示すように、マイクロフォンと書見台上下昇降式講演台が知られている。この講演台は、講演台ボックス部内にマイクロフォン上下昇降駆動装置にマイクロフォンをセットし、書見台上下昇降駆動装置には書見板を取り付けている。そしてマイクロフォンと書見台を講演台にある手元スイッチおよび遠隔操作スイッチ盤で自在に操作して、好む位置にマイクロフォンと書見板を設定できる。【０００４】  講演台として、特許文献２に示すように、下部本体と天板を有し、下部本体に対して昇降自在な上部本体からなる講演台が知られている。下部本体にモータを設け、下部本体に設けられた昇降部材をモータと連動して昇降させ、上部本体の天板の高さを調整できる。
【先行技術文献】
【特許文献１】特開２０１１−７２７６２号公報
【特許文献２】特開平７−１３６０２３号公報
【０００５】  ワイヤレスマイクロフォン、ワイヤードマイクロフォン、ＰＣ、ノートＰＣ、タブレットＰＣ、スマートフォン、楽器等の複数の音源を同時に入力しミキシングし、その音声を演台本体から効果的に出力できる演台が望まれていた。
【０００６】  ワイヤレスマイクロフォン、ワイヤードマイクロフォン、ＰＣ、ノートＰＣ、タブレットＰＣ、スマートフォン、楽器等の複数の音源を同時に入力しミキシングして外部のＰＡシステムに出力でき、外部ＰＡシステムの音声の調整を手元の操作で簡単にできる演台が望まれていた。
【０００７】  ワイヤレスマイクロフォン、ワイヤードマイクロフォン、ＰＣ、ノートＰＣ、タブレットＰＣ、スマートフォン、楽器等の複数の音源を同時に入力しミキシングして外部の録音機器に出力でき、容易に音声録音できる演台が望まれていた。
【０００８】  ノートＰＣ、タブレットＰＣ、スマートフォン等の情報機器を置いたとき、これらの機器の無線充電ができるメインテーブルを有する演台が望まれていた。
【０００９】  パワーアンプリファイヤ、ワイヤレスマイクロフォンのチューナー、ミキサー等を収納でき、これらの機器のメンテナンスが容易にできる演台が望まれていた。
【００１０】  パワーアンプリファイヤ、ワイヤレスマイクロフォンのチューナー、ミキサー等を収納でき、これらの機器のメンテナンスが容易にでき、ワイヤレスマイクロフォンや外したアンテナ等を収納できる演台が望まれていた。
【発明の概要】
【発明が解決しようとする課題】
【００１１】  本発明は、上述の課題を解決するためになされたものであり、その目的とするところは、複数の音源を同時に入力しミキシングし、演者がその音声を演台本体から効果的に出力できる演台を提供することにある。【００１２】  本発明は、上述の課題を解決するためになされたものであり、その目的とするところは、複数の音源を同時に入力しミキシングして外部のＰＡシステムに出力でき、演者が外部ＰＡシステムの音声の調整を手元の操作で簡単にできる演台を提供することにある。【００１３】  本発明は、上述の課題を解決するためになされたものであり、その目的とするところは、複数の音源を同時に入力しミキシングして外部の録音機器に出力でき、演者が容易に音声録音できる演台を提供することにある。【００１４】  本発明は、上述の課題を解決するためになされたものであり、その目的とするところは、ノートＰＣ、タブレットＰＣ、スマートフォン等の情報機器を置いたとき、これらの機器の無線充電ができるメインテーブルを有する演台を提供することにある。【００１５】  本発明は、上述の課題を解決するためになされたものであり、その目的とするところは、パワーアンプリファイヤ、ワイヤレスマイクのチューナー、ミキサーを収納でき、これらの機器のメンテナンスが容易にでき、ワイヤレスマイクロフォンやワイヤードマイクロフォン、外したアンテナ等を収納できる収納装置を有するＰＡシステムを備えた演台を提供することにある。
【課題を解決するための手段】
【００１６】  本発明は、スピーカーを有するフロントカバー、前記フロントカバーの背面に配置されたメインテーブル、および前記メインテーブルに取り付けられたＰＡコントロールセクションを備えたことを特徴とする演台にある。【００１７】  本発明は、スピーカーを有するフロントカバー、前記フロントカバーの背面に配置されたメインテーブル、前記メインテーブルに取り付けられ、引き出し可能なＰＡコントロールセクション、および前記ＰＡコントロールセクションの内部に収納ボックスを設けたことを特徴とする演台にある。【００１８】  本発明は、スピーカーを有するフロントカバー、前記フロントカバーの背面に配置されたメインテーブル、前記メインテーブルに取り付けられ、引き出し可能なＰＡコントロールセクション、前記ＰＡコントロールセクションの内部に設けられた収納ボックス、前記メインテーブルの下方に設けられた脚部フレーム、および前記メインテーブルと前記脚部フレームを接合するサイドフレームを備えたことを特徴とする演台にある。【００１９】  本発明は、スピーカーを有するフロントカバー、前記フロントカバーの背面に配置されたメインテーブル、前記メインテーブルに取り付けられ、引き出し可能なＰＡコントロールセクション、前記ＰＡコントロールセクションの内部に設けられた収納ボックス、前記メインテーブルの下方に設けられたボトムテーブル、前記ボトムテーブルの下方に設けられた脚部フレーム、および前記メインテーブル、前記ボトムテーブル、前記脚部フレームを接合するサイドフレームを備えたことを特徴とする演台にある。【００２０】  本発明は、スピーカーを有するフロントカバー、前記フロントカバーの背面に配置されたメインテーブル、前記メインテーブルの上方に設けられたトップテーブル、前記メインテーブルに取り付けられ、引き出し可能なＰＡコントロールセクション、前記ＰＡコントロールセクションの内部に設けられた収納ボックス、前記メインテーブルの下方に設けられたボトムテーブル、前記ボトムテーブルの下方に設けられた脚部フレーム、および前記トップテーブル、前記メインテーブル、前記ボトムテーブル、前記脚部フレームを接合するサイドフレームを備えたことを特徴とする演台にある。
【発明の効果】
【００２１】  本発明によれば、複数の音源を同時に入力でき、演台本体からミキシングされた音声を効果的に出力できる演台が得られた。【００２２】  本発明によれば、外部のＰＡシステムにミキシングされた音源を出力でき、外部ＰＡシステムを手元で容易に操作できる演台が得られた。【００２３】  本発明によれば、外部の録音機器に音源を出力でき、外部録音機器にミキシングされた効果的な音声を容易に録音できる演台が得られた。【００２４】  本発明によれば、ノートＰＣ、タブレットＰＣ、スマートフォン等の情報機器を置いたとき、これらの機器の無線充電ができるメインテーブルを有する演台が得られた。【００２５】  本発明によれば、パワーアンプリファイヤやワイヤレスマイクロフォンのチューナーを内蔵したミキサーを収納でき、ミキサーのメンテナンスが容易にできる装置を有する演台が得られた。【００２６】  本発明によれば、パワーアンプリファイヤやワイヤレスマイクロフォンのチューナーを内蔵したミキサーを収納でき、ミキサーのメンテナンスが容易にでき、引き出しができ、またはワイヤレスマイクロフォンや外したアンテナ等を収納できるＰＡコントロールセクションを有する演台が得られた。【００２７】  本発明によれば、ＰＡコントロールセクションと、ＰＡコントロールセクションの内部に装備された収納ボックスと、これら二つの部分のセキュリテイ対策を講じた演台が得られた。【００２８】  本発明によれば、上げポジション・水平固定ポジション・下げポジションの三つのポジションをもつトップテーブル、メインテーブル、ボトムテーブル、脚部フレームを効果的に接合するサイドフレームを有する演台が得られた。
【図面の簡単な説明】
【００２９】
【図１】本発明の演台の一実施形態を示しており、トップテーブルの上げポジションのときの演台の正面図である。
【図２】本発明の演台の一実施形態を示しており、トップテーブルの上げポジションのときの演台の平面図である。
【図３】本発明の演台の一実施形態を示しており、トップテーブルの上げポジションのときの演台の側面図である。
【図４】本発明の演台の一実施形態を示しており、トップテーブルの上げポジションのときの演台の背面図である。
【図５】本発明の演台の一実施形態を示しており、トップテーブルの水平固定ポジションまたはトップテーブルの下げポジションのときの演台の正面図である。
【図６】本発明の演台の一実施形態を示しており、トップテーブルの水平固定ポジションのときの演台の平面図である。
【図７】本発明の演台の一実施形態を示しており、トップテーブルの水平固定ポジションのときの演台の側面図である。
【図８】本発明の演台の一実施形態を示しており、トップテーブルの水平固定ポジションのときの演台の背面図である。
【図９】本発明の演台の一実施形態を示しており、トップテーブルの水平固定ポジションでかつＰＡコントロールセクションの引き出しポジションのときの演台の平面図である。
【図１０】本発明の演台の一実施形態を示しており、トップテーブルの水平固定ポジションでかつＰＡコントロールセクションの引き出しポジションのときの演台の側面図である。
【図１１】本発明の演台の一実施形態を示しており、トップテーブルの下げポジションのときの演台の平面図である。
【図１２】本発明の演台の一実施形態を示しており、トップテーブルの下げポジションのときの演台の側面図である。
【図１３】本発明の演台の一実施形態を示しており、トップテーブルの下げポジションのときの演台の背面図である。
【発明を実施するための最良の形態】
【００３０】  以下、本発明の演台について説明する。図１は、本発明の演台の一実施形態を示しており、トップテーブルの上げポジションのときの演台の正面図である。図１に示すように、演台１００のフロントカバー１０は、上方に１個の上部スピーカー（メインスピーカー）１１と上部スピーカー１１の下方に多数の開口（音の通過孔）１２を設けている。フロントカバー１０の開口１２の裏面のほぼ中央付近に１個の円形スピーカー（サブスピーカー）（図示せず）を配置している。フロントカバー１０に備えられた上部スピーカー１１はモノラルステレオ一体形構造のものを採用している。【００３１】  図２は、本発明の演台の一実施形態を示しており、トップテーブルの上げポジションのときの演台の平面図である。演台１００のフロントカバー１０の背面に、上方から下方に順に、トップテーブル２０および水平方向に延びるメインテーブル（デスクトップ）３０が配置されている。トップテーブル２０の裏面には、必要に応じて、時刻を確認するための時計や出力された音声を確認するためのモニタースピーカーなども設置できる。また、トップテーブル２０によって手指などが挟まれないようにするために、メインテーブル３０の両端には挟まれ防止用突起３１が溶接され、上げポジションにあるトップテーブル２０が誤って落下したときや、トップテーブル２０の下げポジションのときの安全な空間をトップテーブル２０とメインテーブル３０の間に確保している。【００３２】  図３は、本発明の演台の一実施形態を示しており、トップテーブルの上げポジションのときの演台の側面図である。演台１００のトップテーブル２０は、斜行サイドフレーム６０に取り付けられて、メインテーブル３０の上方に配置されている。トップテーブル２０は、上げポジションの状態である。このトップテーブル２０は、メインテーブル３０に対して、上げポジション、水平固定ポジション、下げポジションの３つの異なるポジションを設定することができる。このトップテーブル２０は、トップテーブル２０を使用していないときは、上げたり下げたりしてそのポジションを変えることができ、上げポジションや下げポジションの場合は、水平固定ポジションに比べてメインテーブル３０の有効活用面積を拡げることができる。【００３３】  図３に示すように、演台１００は、フロントカバー１０、このフロントカバー１０の背面に、上方から下方に順に、トップテーブル２０、メインテーブル３０、ボトムテーブル（下部テーブル）４０および脚部フレーム５０が配置されている。メインテーブル３０、ボトムテーブル４０および脚部フレーム５０は、それぞれ水平方向に延びて配置されている。トップテーブル２０、メインテーブル３０、ボトムテーブル４０および脚部フレーム５０は、一定の高さで一定の間隔をおいて順に上方から下方に配置されている。【００３４】  演台１００のトップテーブル２０は、水平固定ポジションのときにディスプレイを置くことができる。なお、演台１００のトップテーブル２０にディスプレイを置くときは専用のホルダーを使用する。【００３５】  演台１００のボトムテーブル４０は、ＰＣ本体やプリンター等を置くことができる。なお、ボトムテーブル４０にＰＣ本体やプリンター等を設置する際は専用のホルダーを使用する。【００３６】  図３に示すように、  演台１００の三つのポジションをもつトップテーブル２０、メインテーブル３０、ボトムテーブル４０および脚部フレーム５０は、上方から下方に斜めに右下がりに延びる斜行サイドフレーム６０に接合されている。この脚部フレーム５０には、斜行サイドフレーム６０とフロントカバー１０が接合されている。【００３７】  このように、演台１００の斜行サイドフレーム６０は、三つのポジションを持つトップテーブル２０とメインテーブル３０とボトムテーブル４０と脚部フレーム５０とを接合している。また、脚部フレーム５０に、フロントカバー１０と斜行サイドフレーム６０が接合されている。演台１００の斜行サイドフレーム６０は、フロントカバー１０と脚部フレーム５０ともに側面から見て直角三角形構造の構成を採用し、演台１００の構成要素として強烈なインパクトを与えて演台１００のデザイン性を高めている。【００３８】  また、演台１００の脚部フレーム５０の下方に４個の自在キャスター７０を設けている。これにより、演台１００は、４輪自在キャスター７０によってどこでも自由に移動できる。【００３９】  図３に示すように、演台１００のフロントカバー１０は、左右にワイヤレスマイクロフォン用アンテナ１３を設けている。演台１００のメインテーブル３０には、ノートＰＣ、タブレットＰＣ，スマートフォンなどの情報機器やドキュメントなどを置くことができる。メインテーブル３０は、情報機器の無線充電ができるように工夫されている。【００４０】  図３に示すように、演台１００のメインテーブル３０の下方に、ＰＡコントロールセクション（ＰＡ操作部、ＰＡ操作セクション）８０が収容されて取り付けられている。このＰＡコントロールセクション８０の内部に、収納ボックス（ＰＡコントロールセクション付属収納ボックス）９０が付属して設けられている。【００４１】  図３に示すように、ＰＡコントロールセクション８０の傾斜した前面板８１に、ＰＡコントロールセクション開閉用キー８２が取り付けられている。また、収納ボックス９０に傾斜して取り付けられた四角形状収納ボックス扉９１に、収納ボックス開閉用キー９２が取り付けられている。収納ボックス９０の収納ボックス扉９１は、ＰＡコントロールセクション８０の傾斜した前面板８１の下方部に、前面板８１と同一面に設けられている。【００４２】  図３においては、演台１００の収納ボックス９０を付属したＰＡコントロールセクション８０は、メインテーブル３０の下方左側に収容された収容状態にあって、ＰＡコントロールセクション８０は、引き出された状態（引き出しポジション）になっていなく、また収納ボックス９０の収納ボックス扉９１は閉じられている。ＰＡコントロールセクション８０の前面板８１に取り付けられたＰＡコントロールセクション開閉用キー８２は施錠されている。また、収納ボックス９０の収納ボックス扉９１に取り付けられた収納ボックス開閉用キー９２も、施錠されている。【００４３】  図３に示すように、本発明の一実施形態の演台１００は、収納ボックス９０を付属したＰＡコントロールセクション８０にＰＡコントロールセクション開閉用キー８２を前面板８１取り付け、収納ボックス９０収納ボックス扉９１に収納ボックス開閉用キー９２を取り付けている。このように、本発明の一実施形態の演台１００は、ＰＡコントロールセクション開閉用キー８２と収納ボックス開閉用キー９２をそれぞれ設けて、演台１００にセキュリテイ対策を施している。【００４４】  図４は、本発明の演台の一実施形態を示しており、トップテーブルの上げポジションのときの演台の背面図である。演台１００のトップテーブル２０は、トップテーブル２０の水平固定用金具２１を左右に設けている。このトップテーブル水平固定用金具２１によって、トップテーブル２０は、斜行サイドフレーム６０に水平位置で固定できる。また、フロントカバー１０の両側面にそれぞれアンテナ１３が設けられている。【００４５】  図５は、本発明の演台の一実施形態を示しており、トップテーブルの水平固定ポジションまたは下げポジションのときの演台の正面図である。演台１００のトップテーブル２０は、トップテーブル水平固定用金具２１によって斜行サイドフレーム６０に水平固定されたポジションの状態であり、図５においてはフロントカバー１０の前方から見るとトップテーブル２０は出現していない。【００４６】  図６は、本発明の演台の一実施形態を示しており、トップテーブルの水平固定ポジションのときの演台の平面図である。演台１００のトップテーブル２０は、トップテーブル水平固定用金具２１によって斜行サイドフレーム６０に水平固定されたポジションの状態であり、トップテーブル２０はメインテーブル３０の上部前方をカバーしている。【００４７】  図７は、本発明の演台の一実施形態を示しており、トップテーブルの水平固定ポジションのときの演台の側面図である。演台１００のトップテーブル２０は、水平固定ポジションの状態にある。ＰＡコントロールセクション８０の収納ボックス９０には、マイクロフォン、アンテナ等が収納されている。図７においては、演台１００のＰＡコントロールセクション８０と収納ボックス９０とはそれぞれ、メインテーブル３０の下方部に収容された収容状態にあり、引き入れられている。収納ボックス９０の収納ボックス扉９１は、収納ボックス開閉用キー９２によって閉じられている。【００４８】  図８は、本発明の演台の一実施形態を示しており、トップテーブルの水平固定ポジションのときの演台の背面図である。演台１００のトップテーブル２０は、水平方向に位置しトップテーブル水平固定用金具２１によって斜行サイドフレーム６０に固定されている。演台１００のＰＡコントロールセクション８０の前面板８１には、ＰＡコントロールセクション開閉用キー８２が備えられ、ＰＡコントロールセクション８０に付属している収納ボックス９０の収納ボックス扉９１には、収納ボックス開閉用キー９２が備えられている。図８においては、演台１００の収納ボックス９０を付属したＰＡコントロールセクション８０は、メインテーブル３０の下方部に収容状態にある。【００４９】  図９は、本発明の演台の一実施形態を示しており、トップテーブルが水平固定ポジションでかつＰＡコントロールセクションが引き出されて引き出しポジションのときの演台の平面図である。図９に示すように、演台１００のＰＡコントロールセクション８０は、パワーアンプリファイヤやワイヤレスマイクチューナーを内蔵したミキサー（以下、音響装置）８３を備えている。図９に示すように、ＰＡコントロールセクション８０の音響装置８３が出現している。なお、ＰＡ（パブリックアドレス）は、通常、エフェクター類、モニタースピーカー、ミキシング・コンソール、マイクロフォン、各スピーカー、各ケーブル類、アンプリファイヤ等を備えている。【００５０】  図９に示すように、演台１００のＰＡコントロールセクション８０の内部に音響装置８３を備えている。収納ボックス９０は、音響装置８３を内部に有するＰＡコントロールセクション８０の音響装置収納部分とは隔離して形成されている。すなわち、収納ボックス９０は、ＰＡコントロールセクション８０の音響装置収納部分の下方部に設けられている。【００５１】  図９に示すように、演台１００のＰＡコントロールセクション８０にミキシング・コンソールを内蔵している。このミキシング・コンソールは、複数の音声信号をアナログ回路における電気的またはデジタル回路における演算によって音色加工やトラック音声加算して様々な音声トラック形式へ出力させるための音響機器で、ミキシングという物理的な音声制御をするための一連の機能を有する音響機器である。【００５２】  本発明の一実施形態では、図９に示すように、ＰＡコントロールセクション８０のパワーアンプリファイヤを内蔵した音響装置８３の上面が出現している。この音響装置８３は、各種つまみ８３ａ、出力信号の出力状態を表示するＬＥＤ（発光ダイオード）８３ｂ等を有している。演者はＰＡコントロールセクション８０の音響装置８３を上方から確認しながら目視で容易に取り扱うことができる。このように、本発明の一実施形態の演台１００では、パワーアンプリファイヤを内蔵した音響装置８３をＰＡコントロールセクション８０に収納し、音響装置８３のメンテナンスも容易にできる。【００５３】  本発明の一実施形態の演台１００では、ＰＡコントロールセクション８０に、ワイヤレスマイクロフォン、ワイヤードマイクロフォン、ＰＣ、ノートＰＣ、タブレットＰＣ、スマートフォン、楽器等の音源を入力する。ミキシング・コンソールでミキシングを行なった後、パワーアンプリファイヤを通してフロントカバー１０の上部スピーカー１１、中央部スピーカーから音声を直接出すことができる。【００５４】  図１０は、本発明の演台の一実施形態を示しており、トップテーブルの水平固定ポジションでかつＰＡコントロールセクションの引き出しポジションのときの演台の側面図である。収納ボックス９０を付属したＰＡコントロールセクション８０は、ＰＡコントロールセクション８０の両側に設けられたレール８４を用いて、メインテーブル３０の右端部から水平方向に引き出されて出現している。図１０に示すように、収納ボックス９０は、ＰＡコントロールセクション８０の下方部で右方側に位置されている。従って、収納ボックス９０の収納ボックス扉９１もＰＡコントロールセクション８０の下方部の右端側に設けられている。【００５５】  図１０に示すように、演台１００のトップテーブル２０が水平方向に固定され、メインテーブル３０の下方に取り付けられた収納ボックス９０を付属したＰＡコントロールセクション８０が、メインテーブル３０の右端部から水平方向に引き出されている。演台１００の収納ボックス９０を付属したＰＡコントロールセクション８０は、メインテーブル３０の下方部から引き出されて開かれた状態にある。また、収納ボックス９０もメインテーブル３０の下方部から引き出されて収納ボックス扉９１が開かれた状態にある。ＰＡコントロールセクション８０の前面板８１は、メインテーブルの右端部から引き出されており、収納ボックス９０の収納ボックス扉９１はヒンジ９３を用いて開放されている。【００５６】  図１０に示すように、演台１００のブラケット（支持フレーム）５１は、脚部フレーム５０に溶接されており、またフロントカバー１０の底面は、ねじ５２によってブラケット５１に取り付けられている。【００５７】  図１０に示すように、演台１００の収納ボックス９０を付属したＰＡコントロールセクション８０は、メインテーブル３０から右端部から水平方向に引き出された状態を示している。ＰＡコントロールセクション８０の内部の付属されている収納ボックス９０にワイヤレスマイクロフォンや外したアンテナ等を収納している。【００５８】  図１０に示すように、演台１００の収納ボックス９０を付属したＰＡコントロールセクション８０がメインテーブル３０の右端部から水平方向に引き出された状態を示している。ＰＡコントロールセクション８０に付属した収納ボックス９０の収納ボックス扉９１は開かれた状態にある。すなわち、収納ボックス９０の収納ボックス扉９１と収納ボックス９０の端部の間に設けたヒンジ９３を動作させて、収納ボックス９０の収納ボックス扉９１を開いている。【００５９】  図１０に示すように、メインテーブル３０は、斜行サイドフレーム６０の上方の左側部に取り付けられている。いいかえれば、斜行サイドフレーム６０の上方はメインテーブル３０の左側に位置されているので、メインテーブル３０の上面を有効に活用できる。また、斜行サイドフレーム６０の上方は、メインテーブル３０の左方側に位置されているので、音響装置８３を備えたＰＡコントロールセクション８０を容易に引き出すことができる。【００６０】  このように、本発明の一実施形態では、演台１００はＰＡ（パブリックアドレス）を活用したシステムで、音響装置８３にワイヤレスマイクロフォン、ワイヤードマイクロフォン、ＰＣ、ノートＰＣ、タブレットＰＣ、スマートフォン、楽器等の音源を、必要に応じて同時に接続入力してミキシングでき、この音響システムを演者が手元で容易に制御できる。【００６１】  本発明の一実施形態では、音響装置８３から外部の録音機器に出力することができ、ミキシングされた音も容易に録音できる。【００６２】  図１１は、本発明の演台の一実施形態を示しており、トップテーブルの下げポジションのときの演台の平面図である。図１２は、本発明の演台の一実施形態を示しており、トップテーブルの下げポジションのときの演台の側面図である。図１３は、本発明の演台の一実施形態を示しており、トップテーブルの下げポジションのときの演台の背面図である。図１１、図１２、図１３は、演台１００のトップテーブル���０の下げポジションのときの状態を示している。下げポジションにすることによって、メインテーブル３０の有効使用面積を拡げることができ、ノートＰＣやドキュメントなどを置くスペースが広がる。【００６３】  図１２においては、演台１００のＰＡコントロールセクション８０と収納ボックス９０とは、メインテーブル３０の下方の左側部に収容状態にあって、収納ボックス９０の収納ボックス扉９１は閉じられている。【００６４】  つぎに、本発明の一実施形態である演台１００の使用、操作方法について説明する。演台１００の使用開始前に、マイクロフォン、ＰＣ、ノートＰＣ、タブレットＰＣ、スマートフォン、楽器などの各音源を、必要に応じて音響装置８３に接続する。つぎに、演台１００の講演環境にあわせて出力条件を設定（セッティング）する。すなわち、使用する会場の大きさ、広さ、会場に流すべき音量、音質、聴衆者の人数、聴衆者の種類（子供主体か大人主体か）、または演者の音質、音量等を勘案し、これらの諸条件に合わせて事前に演台１００の音声出力条件をセッティングする。このように、演台１００のＰＡコントロールセクション８０の音響装置８３等を最適な講演環境にすべき事前に十分調節、調合しておく。【００６５】  演者は、講演環境に応じて既に調節、調合された演台１００を使用して講演を行なう。演者は、メインテーブル３０のワイヤレスマイクロフォンまたはワイヤードマイクロフォンを用いて、演説内容または説明内容等をフロントカバー１０の上部スピーカー１１と円形スピーカーから聴衆者に音声を出力する。【００６６】  また、演者は、必要に応じて、予め接続された音源を、講演または説明内容等の箇所に応じて、音源を操作または演奏することによって演台１００のフロントカバー１０の上部スピーカー１１と円形スピーカーから音声出力できる。また、講演中においても、ＰＡコントロールセクション８０を引き出して音響装置８３を手元で操作して音声を調節することもできる。このように、演者は、必要に応じて、演台１００のメインテーブル３０に載置されたノートＰＣ・タブレットＰＣ・スマートフォン、ボトムテーブル４０に載置されたＰＣ、演台１００の近傍に設置された楽器などの音源を自由にミキシングしたり、外部録音機器に出力して録音したりすることができる。【００６７】  さらに、演者は、演台１００に備えられたＰＡコントロールセクション８０を通して、演台１００に備えられたＰＡコントロールセクション８０とは異なる外部に設置されているＰＡ（パブリックアドレス）システムへ出力でき、外部のＰＡ（パブリックアドレス）システムを手元で制御することもできる。【００６８】  演台１００を使用した後または操作した後、使用したマイクロフォン、アンテナ等を開いている収納ボックス扉９１から収納ボックス９０の内部に収納する。そして、収納ボックス扉９１に取り付けられた収納ボックス開閉用キー９２を施錠して、収納ボックス９０をＰＡコントロールセクション８０の内部に安全に収容する。また、引き出されたＰＡコントロールセクション８０を引き入れてメインテーブル３０の下方部に収容する。そして、ＰＡコントロールセクション８０に取り付けられたＰＡコントロールセクション���閉用キー８２を施錠して、ＰＡコントロールセクション８０を安全に収容する。このことにより、ＰＡコントロールセクション８０とＰＡコントロールセクション８０の内部に装備された収納ボックス９０のセキュリティ対策が講じられ、また、さまざまな場所に使用される際にも安全に移動することができる。
【符号の説明】
【００６９】１０        フロントカバー
１１        上部スピーカー
１２        開口
１３        ワイヤレスマイクロフォン用アンテナ
２０        トップテーブル
２１        トップテーブル水平固定用金具
３０        メインテーブル
３１        挟まれ防止用突起
４０        ボトムテーブル
５０        脚部フレーム
５１        ブラケット
５２        ねじ
６０        斜行サイドフレーム
７０        キャスター
８０        ＰＡコントロールセクション
８１        前面板
８２        ＰＡコントロールセクション開閉用キー
８３        音響装置
８３ａ      つまみ
８３ｂ      ＬＥＤ（発光ダイオード）
８４        レール
９０        収納ボックス
９１        収納ボックス扉
９２        収納ボックス開閉用キー
９３        ヒンジ
１００      演台
【図１】
2013075131.tif 000003
【図２】
2013075131.tif 000004
【図３】
2013075131.tif 000005
【図４】
2013075131.tif 000006
【図５】
2013075131.tif 000007
【図６】
2013075131.tif 000008
【図７】
2013075131.tif 000009
【図８】
2013075131.tif 000010
【図９】
2013075131.tif 000011
【図１０】
2013075131.tif 000012
【図１１】
2013075131.tif 000013
【図１２】
2013075131.tif 000014
【図１３】
2013075131.tif 000015